(57)【特許請求の範囲】
【請求項１】
センサによって得られるセンサ情報を含むアプリケーション情報を送信するアプリケーションを実行するアプリケーション実行部と、前記センサによって得られるセンサ情報を含むブラウザ情報を送信するウェブブラウザを実行するウェブブラウザ実行部と、を備える複数の携帯端末と、
前記携帯端末から送信される前記アプリケーション情報及び前記ブラウザ情報に基づいて、同一の前記携帯端末で実行されるアプリケーションとブラウザとを判定する判定部と、
を備える判定システム。
【請求項２】
前記アプリケーション実行部は、現在時刻を示す時刻情報を含めた前記アプリケーション情報を前記判定部へ送信し、
前記ウェブブラウザ実行部は、ウェブブラウザが所定のウェブサイトへアクセスすると、時刻情報を含めた前記ブラウザ情報を前記判定部へ送信し、
前記判定部は、前記アプリケーション情報及び前記ブラウザ情報に含まれる時刻情報に基づいて判定する対象を絞り込んだ後に、前記アプリケーション情報及び前記ブラウザ情報に含まれるセンサ情報に基づいて同一の前記携帯端末で実行されるアプリケーションとブラウザとを判定する、
請求項１に記載の判定システム。
【請求項３】
前記アプリケーション実行部は、自端末に割り当てられたアドレスを示すアドレス情報を含む前記アプリケーション情報を前記判定部へ送信し、
前記ウェブブラウザ実行部は、前記アドレス情報を含む前記ブラウザ情報を前記判定部へ送信し、
前記判定部は、前記アプリケーション情報及び前記ブラウザ情報に含まれる前記アドレス情報に基づいて判定する対象を絞り込んだ後に、前記アプリケーション情報及び前記ブラウザ情報に含まれるセンサ情報に基づいて同一の前記携帯端末で実行されるアプリケーションとブラウザとを判定する、
請求項１又は請求項２に記載の判定システム。
【請求項４】
前記アプリケーション実行部及び前記ウェブブラウザ実行部は、前記センサで得られる計測値の時系列をセンサ情報とし、
前記判定部は、前記アプリケーション情報と前記ブラウザ情報とに含まれるセンサ情報の時系列の類似度に基づいて、同一の前記携帯端末で実行されるアプリケーションとブラウザとを判定する、
請求項１から請求項３のいずれか一項に記載の判定システム。
【請求項５】
複数の携帯端末と、同一の前記携帯端末で実行されるアプリケーションとブラウザとを判定する判定部と、を備える判定システムにおける携帯端末であって、
センサによって得られるセンサ情報を含むアプリケーション情報を送信するアプリケーションを実行するアプリケーション実行部と、
前記センサによって得られるセンサ情報を含むブラウザ情報を送信するウェブブラウザを実行するウェブブラウザ実行部と、
を備え、
前記判定部は、前記携帯端末から送信される前記アプリケーション情報及び前記ブラウザ情報に基づいて前記判定を行う、
携帯端末。
【請求項６】
複数の携帯端末と、同一の前記携帯端末で実行されるアプリケーションとブラウザとを判定する判定部と、を備える判定システムにおける携帯端末が備えるコンピュータを、
センサによって得られるセンサ情報を含むアプリケーション情報を送信するアプリケーションを実行するアプリケーション実行部と、
前記センサによって得られるセンサ情報を含むブラウザ情報を送信するウェブブラウザを実行するウェブブラウザ実行部と、
として機能させ、
前記判定部は、前記携帯端末から送信される前記アプリケーション情報及び前記ブラウザ情報に基づいて前記判定を行う、
プログラム。
【発明の詳細な説明】
【技術分野】
【０００１】
本発明は、判定システム、携帯端末及びプログラムに関する。
【背景技術】
【０００２】
インターネットにおける広告手法として、特定のウェブサイトのウェブページを閲覧したことがあるユーザに対して、当該ウェブサイトに関連する広告を他のウェブサイト上に表示させることで特定のウェブサイトの再度の閲覧を促す手法がある。このような広告手法は、リターゲティング広告と呼ばれ、広告効果を高める手法として広く利用されている。特許文献１には、リターゲティング広告を実施する技術が記載されている。
【０００３】
特許文献１に記載の技術は、ウェブサーバとウェブブラウザとの間で用いられるクッキー（HTTP Cookie）を利用している。そのため、携帯端末、例えばスマートフォン上で実行されるアプリケーション（以下、アプリという。）を介してユーザがウェブサイトを閲覧した場合には、アプリはウェブブラウザのクッキーを利用することができないため、リターゲティング広告を活用できないことがあった。これに対して、特許文献２には、アプリを介したウェブサイトの閲覧履歴をウェブブラウザで利用する技術が記載されている。特許文献２に記載の技術では、アプリとウェブブラウザとからアクセス可能なサーバプロセスをスマートフォン上で実行させ、サーバプロセスがアプリとウェブブラウザとを紐付けることにより、アプリとウェブブラウザとを連携させたリターゲティング広告を可能としている。
【先行技術文献】
【特許文献】
【０００４】
【特許文献１】特開２０１３−０７７１１９号公報
【特許文献２】特許第５７２４０２８号公報
【発明の概要】
【発明が解決しようとする課題】
【０００５】
しかしながら、特許文献２に記載の技術ではスマートフォン上においてサーバプロセスをアプリとして実行する必要がある。そのため、スマートフォンのメモリ領域やＣＰＵ処理時間を占有してしまうため、他のアプリの動作が遅くなったり、電力消費量が増加してバッテリーの持ちが悪くなったりしてスマートフォンの利便性を損なってしまう場合があった。
【０００６】
本発明は、前述の事情に鑑み、携帯端末の利便性を損なわずに広告効果を高めることができる判定システム、携帯端末及びプログラムを提供することを目的としている。
【課題を解決するための手段】
【０００７】
本発明の一態様は、センサによって得られるセンサ情報を含むアプリケーション情報を送信するアプリケーションを実行するアプリケーション実行部と、前記センサによって得られるセンサ情報を含むブラウザ情報を送信するウェブブラウザを実行するウェブブラウザ実行部と、を備える複数の携帯端末と、前記携帯端末から送信される前記アプリケーション情報及び前記ブラウザ情報に基づいて、同一の前記携帯端末で実行されるアプリケーションとブラウザとを判定する判定部と、を備える判定システムである。
【０００８】
また、本発明の一態様は、上記の判定システムにおいて、前記アプリケーション実行部は、現在時刻を示す時刻情報を含めた前記アプリケーション情報を前記判定部へ送信し、前記ウェブブラウザ実行部は、ウェブブラウザが所定のウェブサイトへアクセスすると、時刻情報を含めた前記ブラウザ情報を前記判定部へ送信し、前記判定部は、前記アプリケーション情報及び前記ブラウザ情報に含まれる時刻情報に基づいて判定する対象を絞り込んだ後に、前記アプリケーション情報及び前記ブラウザ情報に含まれるセンサ情報に基づいて同一の前記携帯端末で実行されるアプリケーションとブラウザとを判定する。
【０００９】
また、本発明の一態様は、上記の判定システムにおいて、前記アプリケーション実行部は、自端末に割り当てられたアドレスを示すアドレス情報を含む前記アプリケーション情報を前記判定部へ送信し、前記ウェブブラウザ実行部は、前記アドレス情報を含む前記ブラウザ情報を前記判定部へ送信し、前記判定部は、前記アプリケーション情報及び前記ブラウザ情報に含まれる前記アドレス情報に基づいて判定する対象を絞り込んだ後に、前記アプリケーション情報及び前記ブラウザ情報に含まれるセンサ情報に基づいて同一の前記携帯端末で実行されるアプリケーションとブラウザとを判定する。
【００１０】
また、本発明の一態様は、上記の判定システムにおいて、前記アプリケーション実行部及び前記ウェブブラウザ実行部は、前記センサで得られる計測値の時系列をセンサ情報とし、前記判定部は、前記アプリケーション情報と前記ブラウザ情報とに含まれるセンサ情報の時系列の類似度に基づいて、同一の前記携帯端末で実行されるアプリケーションとブラウザとを判定する。
【００１１】
また、本発明の一態様は、複数の携帯端末と、同一の前記携帯端末で実行されるアプリケーションとブラウザとを判定する判定部と、を備える判定システムにおける携帯端末であって、センサによって得られるセンサ情報を含むアプリケーション情報を送信するアプリケーションを実行するアプリケーション実行部と、前記センサによって得られるセンサ情報を含むブラウザ情報を送信するウェブブラウザを実行するウェブブラウザ実行部と、を備える携帯端末である。
【００１２】
また、本発明の一態様は、複数の携帯端末と、同一の前記携帯端末で実行されるアプリケーションとブラウザとを判定する判定部と、を備える判定システムにおける携帯端末が備えるコンピュータを、センサによって得られるセンサ情報を含むアプリケーション情報を送信するアプリケーションを実行するアプリケーション実行部と、前記センサによって得られるセンサ情報を含むブラウザ情報を送信するウェブブラウザを実行するウェブブラウザ実行部と、として機能させるプログラムである。
【発明の効果】
【００１３】
本発明によれば、携帯端末の利便性を損なわずに広告効果を高めることが可能となる。
【図面の簡単な説明】
【００１４】
【図１】本実施形態による配信システムの構成例を示すブロック図。
【図２】本実施形態における携帯端末の構成例を示すブロック図。
【図３】本実施形態における照合サーバの構成例を示すブロック図。
【図４】本実施形態における照合サーバで行われる照合処理の手順を示すフローチャート。
【図５】本実施形態における配信システムの動作例を示すシーケンス図。
【発明を実施するための形態】
【００１５】
以下、図面を参照して、本発明の実施形態における判定システム、携帯端末及びプログラムを説明する。図１は、本実施形態による配信システムの構成例を示すブロック図である。本実施形態の配信システムは、複数の携帯端末１と、照合サーバ２と、配信サーバ３とを備える。配信システムでは、判定部としての照合サーバ２と複数の携帯端末１とを含む判定システムが構成される。複数の携帯端末１と照合サーバ２と配信サーバ３とは、有線通信網と無線通信網とを組み合わせたネットワーク４を介して相互に通信可能である。配信システムは、携帯端末１で実行されるアプリケーション（以下、アプリという。）又はウェブブラウザを利用してユーザが閲覧又はアクセスしたウェブページ又はウェブサイトに基づいた情報を配信サーバ３が配信するシステムである。配信サーバ３により配信される情報は、例えば広告情報である。また、配信サーバ３から配信される情報は、ユーザがアプリを利用して行った処理、例えばウェブの閲覧や、物品やサービスの購入や、音楽又は映像のダウンロードに基づいた情報であってもよい。
【００１６】
図２は、本実施形態における携帯端末１の構成例を示すブロック図である。携帯端末１は、例えばスマートフォンやタブレット端末である。携帯端末１は、磁気センサ１１と、加速度センサ１２と、位置センサ１３と、通信部１４と、制御部１５とを備える。磁気センサ１１は、検出する地磁気に基づいて磁気センサ１１が向いている方位を計測する。磁気センサ１１は、所定の方向（例えば、北）を基準にして磁気センサ１１が向いている方向を数値で出力する。加速度センサ１２は、加速度センサ１２に加えられるＸＺＹ軸方向の各加速度を測定する。加速度センサ１２により測定される各加速度により、ＸＺＹ軸方向それぞれの基準面に対する携帯端末１の傾き（角度）を数値で得ることができる。加速度センサ１２は、３軸方向（ＸＹＺ方向）それぞれの傾きを示す数値を出力する。位置センサ１３は、携帯端末１の現在位置を取得し、現在位置を示す位置情報を出力する。携帯端末１の現在位置の取得は、例えばＧＰＳ（Global Positioning System）や、携帯端末１が無線通信している１つ又は複数の基地局装置の位置を利用して行われる。
【００１７】
通信部１４は、ネットワーク４を介して照合サーバ２及び配信サーバ３と通信を行う。通信部１４は、照合サーバ２及び配信サーバ３から受信した情報を制御部１５へ出力し、制御部１５から出力される情報を照合サーバ２又は配信サーバ３へ送信する。制御部１５は、アプリ実行部１６と、ブラウザ実行部１７とを備える。制御部１５は、例えばＣＰＵ（Central Processing Unit）と、一時記憶としてのメモリと、不揮発性の記憶装置（ＥＥＰＲＯＭやハードディスク）とを含み構成される。記憶装置に記憶されたプログラムをメモリに読み出して実行することにより、ＣＰＵがアプリ実行部１６とブラウザ実行部１７として機能する。また、記憶装置は、アプリやウェブブラウザのプログラムも記憶している。
【００１８】
アプリケーション実行部としてのアプリ実行部１６は、記憶装置に記憶されているアプリのプログラムを実行する。アプリは、磁気センサ１１、加速度センサ１２及び位置センサ１３から出力される各情報をセンサ情報として取得する。センサ情報には、方位を示す方位情報と、３軸方向それぞれの傾きを示す傾き情報と、携帯端末１の現在位置を示す位置情報とが含まれる。アプリ実行部１６は、周期的にセンサ情報を取得する。アプリ実行部１６は、センサ情報を取得する都度、取得したセンサ情報と時刻情報とＩＰアドレスと識別情報とを含むアプリケーション情報を、通信部１４を介して照合サーバ２へ送信する。時刻情報は、アプリケーション情報が送信されるときの現在時刻を示す情報である。アプリケーション情報に含まれるＩＰアドレスは、自端末に割り当てられたＩＰアドレスである。現在時刻は、携帯端末１に備えられている時計又はタイマから取得される。識別情報は、例えばＩＤＦＡ（Identification For Advertisers）やＡＤＩＤ（Advertising Identification）である。識別情報は、携帯端末１ごとに異なる値が割り当てられる。
【００１９】
ウェブブラウザ実行部としてのブラウザ実行部１７は、記憶装置に記憶されているウェブブラウザのプログラムを実行する。ウェブブラウザが所定のスクリプトを含むウェブページを表示するとき又は所定のスクリプトを含むウェブページのデータを読み込んだときに、ブラウザ実行部１７は、当該スクリプトの指示に応じてアプリ実行部１６と同様にセンサ情報として取得する。ブラウザ実行部１７は、所定のスクリプトに応じてセンサ情報を取得すると、所定の期間において周期的にセンサ情報を取得する。ブラウザ実行部１７は、センサ情報を取得する都度、取得したセンサ情報と時刻情報とＩＰアドレスとクッキーＩＤ（Cookie ID）とを含むブラウザ情報を、通信部１４を介して照合サーバ２へ送信する。なお、ブラウザ実行部１７は、取得したセンサ情報を、いくつかまとめて送信してもよい。所定のスクリプトは、例えば広告に付属するスクリプトなどである。クッキーＩＤは、ウェブブラウザに紐付けられた識別子である。ブラウザ情報に含まれる時刻情報は、アプリケーション情報に含まれる時刻情報と同様に、ブラウザ情報が送信されるときの現在時刻を示す情報である。ブラウザ情報に含まれるＩＰアドレスは、自端末に割り当てられたＩＰアドレスである。
【００２０】
図３は、本実施形態における照合サーバ２の構成例を示すブロック図である。照合サーバ２は、通信部２１と、照合部２２と、記憶部２３とを備える。通信部２１は、ネットワーク４を介して複数の携帯端末１及び配信サーバ３と通信を行う。通信部２１は、複数の携帯端末１からアプリケーション情報とブラウザ情報とを受信し、受信したアプリケーション情報とブラウザ情報とを記憶部２３に記憶させる。通信部２１は、照合部２２から出力される関係情報を、配信サーバ３へ送信する。関係情報は、同一の携帯端末１で実行されるアプリとウェブブラウザとの組み合わせを示す情報である。
【００２１】
照合部２２は、記憶部２３に記憶されているアプリケーション情報とブラウザ情報とが同一の携帯端末１から送信されたものであるか否かの対応を照合する。照合部２２は、アプリケーション情報とブラウザ情報との対応を照合することにより、同一の携帯端末１で実行されているアプリとウェブブラウザとの組み合わせを取得する。アプリとウェブブラウザとの組み合わせを示す関係情報は、例えば、識別情報としてのＩＤＦＡ又はＡＤＩＤとクッキーＩＤとの組み合わせとして取得される。
【００２２】
図４は、本実施形態における照合サーバ２で行われる照合処理の手順を示すフローチャートである。照合サーバ２において、通信部２１がアプリケーション情報又はブラウザ情報を受信すると、照合部２２は、照合処理を開始する。なお、照合部２２は、定期的に照合処理を開始してもよい。照合部２２は、記憶部２３に記憶されているアプリケーション情報に対する絞り込みをＩＰアドレス及び時刻に基づいて行う（ステップＳ１１）。照合部２２は、この絞り込みにより、通信部２１により受信されたブラウザ情報を送信した携帯端末１と同一の携帯端末１から送信された可能性の高いアプリケーション情報を抽出する。
【００２３】
ＩＰアドレスによる絞り込みは、ブラウザ情報に含まれるＩＰアドレスと一致するＩＰアドレスを含むアプリケーション情報を、記憶部２３に記憶されているアプリケーション情報から検出することにより行われる。
【００２４】
時刻による絞り込みは、ブラウザ情報に含まれる時刻情報と一致する時刻情報を含むアプリケーション情報、又はブラウザ情報に含まれる時刻情報が示す時刻を含む一定期間内の時刻情報を含むアプリケーション情報を、記憶部２３に記憶されているアプリケーション情報から検出することにより行われる。時刻による絞り込みにおける一定期間は、アプリ実行部１６及びブラウザ実行部１７がアプリケーション情報及びブラウザ情報を送信する周期に応じて定められる。例えば送信の周期が５００［ｍｓ］である場合には一定範囲を＋１［ｓ］から−１［ｓ］として、差分が１秒以下の時刻情報を有するアプリケーション情報が、同一の携帯端末１から送信された可能性の高いアプリケーション情報として抽出される。
【００２５】
照合部２２は、ブラウザ情報に含まれる方位情報に基づいた照合により、ステップＳ１１におけるＩＰアドレス及び時刻による絞り込みで得られたアプリケーション情報のうち、ブラウザ情報を送信した携帯端末１から送信された可能性があるアプリケーション情報を更に絞り込む（ステップＳ１２）。方位情報に基づいた照合は、ブラウザ情報に含まれる位置情報とアプリケーション情報に含まれる位置情報とが一致するか否か、又は２つの位置情報が示す方位の差が閾値以下であるか否かに基づいて行われる。位置情報が一致する場合又は２つの位置情報の差が閾値以下の場合には、ブラウザ情報を送信した携帯端末１とアプリケーション情報を送信した携帯端末１とが同一である可能性があると判定される。
【００２６】
照合部２２は、ステップＳ１２における照合で得られたアプリケーション情報に含まれる識別情報が複数あるか否かを判定する（ステップＳ１３）。すなわち、照合部２２は、アプリケーション情報を送信した携帯端末１のうち、ブラウザ情報を送信した携帯端末１と同一の携帯端末１である可能性がある携帯端末１が複数あるか否かを判定する。識別情報が複数ない場合（ステップＳ１３：ＮＯ）、照合部２２は、処理をステップＳ１７へ進める。
【００２７】
識別情報が複数ある場合（ステップＳ１３：ＹＥＳ）、照合部２２は、ブラウザ情報に含まれる傾き情報に基づいた照合により、ステップＳ１２における照合で絞り込まれたアプリケーション情報を更に絞り込む（ステップＳ１４）。傾き情報に基づいた照合は、ブラウザ情報に含まれる傾き情報とアプリケーション情報に含まれる傾き情報とが一致するか否か、又は２つの傾き情報の各軸方向の傾きの差が閾値以下であるか否かに基づいて行われる。傾き情報が一致する場合又は２つの傾き情報の差が閾値以下である場合には、ブラウザ情報を送信した携帯端末１とアプリケーション情報を送信した携帯端末１とが同一である可能性があると判定される。
【００２８】
照合部２２は、ステップＳ１４における照合で得られたアプリケーション情報に含まれる識別情報が複数あるか否かを判定する（ステップＳ１５）。識別情報が複数ない場合（ステップＳ１５：ＮＯ）、照合部２２は、処理をステップＳ１７へ進める。識別情報が複数ある場合（ステップＳ１５：ＹＥＳ）、照合部２２は、ブラウザ情報に含まれる位置情報に基づいた照合により、ステップＳ１４における照合で絞り込まれたアプリケーション情報を更に絞り込む（ステップＳ１６）。
【００２９】
位置情報に基づいた照合は、アプリケーション情報に含まれる位置情報が示す位置が、ブラウザ情報に含まれる位置情報が示す位置から一定距離内にあるか否かに基づいて行われる。アプリケーション情報及びブラウザ情報に含まれる位置情報が示す位置それぞれが一定距離内にある場合には、ブラウザ情報を送信した携帯端末１とアプリケーション情報を送信した携帯端末１とが同一である可能性があると判定される。なお、位置情報に基づいた照合における一定距離は、例えば位置センサ１３を利用した位置を特定する手法における位置の誤差に応じて定められる。
【００３０】
照合部２２は、照合による絞り込みで得られたアプリケーション情報を送信した携帯端末１と、ブラウザ情報を送信した携帯端末１とが同一であると判定する。照合部２２は、アプリケーション情報に含まれる識別情報と、ブラウザ情報に含まれるクッキーＩＤとが同一の携帯端末１から送信されたものであるとして、識別情報とクッキーＩＤとを対応付ける関係情報を配信サーバ３へ送信し（ステップＳ１７）、照合処理を終了する。
【００３１】
なお、照合部２２は、関係情報を記憶部２３に記憶させておいてもよい。照合部２２は、通信部２１がアプリケーション情報又はブラウザ情報を受信した際に、記憶部２３に記憶させた関係情報を参照することで、照合処理を省略することができる。
【００３２】
図５は、本実施形態における配信システムの動作例を示すシーケンス図である。携帯端末１において、ユーザの操作に応じて、アプリ実行部１６がアプリを実行させる（ステップＳ２１）。アプリ実行部１６は、アプリケーション情報を照合サーバ２へ周期的に送信する（ステップＳ２２）。
【００３３】
携帯端末１において、ユーザの操作に応じて、ブラウザ実行部１７がウェブブラウザを実行させる（ステップＳ２３）。ブラウザ実行部１７は、ウェブブラウザがウェブページを表示して所定のスクリプトを実行すると（ステップＳ２４）、ブラウザ実行部１７は、ブラウザ情報を照合サーバ２へ周期的に送信する（ステップＳ２５）。
【００３４】
図５に示す動作例では、アプリがウェブラウザに先行してアプリケーション情報を照合サーバ２へ送信し、ウェブブラウザが後からブラウザ情報を照合サーバ２へ送信する動作例を示しているが、ウェブブラウザがアプリに先行してブラウザ情報を照合サーバ２へ送信し、アプリが後からアプリケーション情報を照合サーバ２へ送信してもよい。
【００３５】
照合サーバ２において、携帯端末１からブラウザ情報を受信すると、照合部２２は、記憶部２３に記憶されているアプリケーション情報に対するブラウザ情報に基づいた照合を実施する（ステップＳ２６）。照合部２２は、同一の携帯端末１で実行されるアプリとウェブブラウザとの組み合わせを示す関係情報を配信サーバ３へ送信する（ステップＳ２７）。
【００３６】
配信サーバ３は、アプリを利用したウェブサイトの閲覧やサービスの提供を識別情報に基づいて取得しておき、照合処理により当該識別情報に紐付けられたクッキーＩＤで識別される携帯端末１のウェブブラウザへ、リターゲティング広告情報を配信する。また、配信サーバ３は、ブラウザを利用したウェブサイトの閲覧やサービスの提供をクッキーＩＤに基づいて取得しておき、照合処理により当該クッキーＩＤに紐付けられた識別情報で識別される携帯端末１のアプリへ、リターゲティング広告情報を配信する（ステップＳ２８）。なお、ウェブブラウザへの配信と、アプリへの配信とは、同じタイミングで行われてもよいし、異なるタイミングで行われてもよい。また、配信サーバ３は、配信先の携帯端末１においてウェブブラウザ、アプリが実行されているときに配信を行うようにしてもよい。
【００３７】
携帯端末１において、ブラウザ実行部１７上で実行されるウェブブラウザは、広告情報を受信し、受信した広告情報を携帯端末１の表示装置に表示させる（ステップＳ２９）。また、アプリ実行部１６上で実行されるアプリは、広告情報を受信し、受信した広告情報を携帯端末１の表示装置に表示させる（ステップＳ３０）。
【００３８】
以上のように、同一の携帯端末１において実行されるアプリケーション（アプリ）とウェブブラウザとを照合サーバ２が特定し、関係情報を配信サーバ３へ通知することにより、配信サーバ３は、ユーザによるアプリの利用に応じた広告情報をウェブブラウザに表示させ又はブラウザの利用に応じた広告情報をアプリに表示させることができる。アプリの利用情報とウェブブラウザの利用情報とを組み合わせた広告情報の配信や関連情報の提供を行うことができるので、広告効果を高めることができる。
【００３９】
また、本実施形態の配信システムでは、携帯端末１において、アプリとウェブブラウザとのプロセス以外に、アプリとウェブブラウザとの関連性を取得するためのアプリケーション又はプログラムを実行する必要がないため、メモリ領域やＣＰＵ処理時間を占有することがなく、携帯端末１の利便性を損なうことなく広告効果を高めることができる。
【００４０】
なお、照合サーバ２における照合処理のステップＳ１２、Ｓ１４、Ｓ１６において、方位情報、傾き情報、位置情報の時系列を用いて照合を行ってもよい。時系列を用いた判定では、ブラウザ情報の時系列とアプリケーション情報の時系列との相関係数を算出し、算出した相関係数に基づいて、ブラウザ情報を送信した携帯端末１とアプリケーション情報を送信した携帯端末１とが同一であるか否かを判定する。また、ブラウザ情報の時系列とアプリケーション情報の時系列との類似度を、公知のパターン照合やコサイン類似度を用いて取得した判定を行ってもよい。
【００４１】
また、本実施形態では、携帯端末１が磁気センサ１１と加速度センサ１２と位置センサ１３とを備える構成を説明した。しかし、携帯端末１は、温度センサ、気圧センサ、又は照度センサのいずれか１つ又は複数を備えている場合、これらのセンサで計測される計測値をセンサ情報として用いてもよい。また、本実施形態では、アプリ実行部１６は、センサ情報を取得する都度、アプリケーション情報を送信する構成を説明したが、各センサの複数の計測値の平均値を算出し、平均値を算出する都度、平均値をセンサ情報として含むアプリケーション情報を送信するようにしてもよい。ブラウザ実行部１７も同様に、平均値を算出し、平均値を算出する都度、ブラウザ情報を送信するようにしてもよい。
【００４２】
また、照合サーバ２における照合処理のステップＳ１１の絞り込みにおいて、ＩＰアドレスと時刻とに加えて、携帯端末１に関する情報、例えばＯＳの種類やＯＳのバージョンを示す情報によるアプリケーション情報の絞り込みを行うようにしてもよい。この場合、アプリ実行部１６がＯＳに関する情報をアプリケーション情報に含めるとともに、ブラウザ実行部１７がＯＳに関する情報をブラウザ情報に含めるようにする。
【００４３】
また、照合サーバ２において、アプリケーション情報の有効期間が経過した場合に、記憶部２３に記憶されているアプリケーション情報を削除するようにしてもよい。同様に、記憶部２３に記憶されているブラウザ情報を削除するようにしてもよい。アプリケーション情報とブラウザ情報との有効期間は、アプリ実行部１６とブラウザ実行部１７とが情報を周期的に送信する所定の期間より長い期間にする。例えば有効期間を所定の期間の２倍とする。所定の期間が３分である場合、有効期間は６分となる。また、携帯端末１で動作するＯＳにおいてアプリケーションがバックグラウンドで動作可能な時間が定められている場合、所定の期間は当該時間を上限として定められる。
【００４４】
また、本実施形態では、方位情報、傾き情報、位置情報の３つの情報を用いた照合を行う照合処理を説明したが、方位情報、傾き情報、位置情報のいずれか１つ又は２つの情報を用いた照合処理としてもよい。また、傾き情報は３軸方向それぞれの傾きを含むが、３軸方向の傾きのうち、いずれか１つ又は２つの傾きを照合に用いるようにしてもよい。また、本実施形態では、ＩＰアドレスを用いた絞り込みを行う照合処理を説明したが、ＭＡＣアドレスを用いて絞り込みを行うようにしてもよい。
【００４５】
また、本実施形態では、アプリ及びウェブブラウザを用いたユーザの利用履歴に基づいて広告情報を携帯端末に配信する構成を説明した。しかし、携帯端末へ配信する情報は、広告に限らず、情報を配信する情報提供者又はユーザにとって有益となり得る情報であってもよい。また、本実施形態では、アプリケーション情報とブラウザ情報との照合を行う照合サーバ２と、情報を配信する配信サーバ３とが異なる装置として説明したが、１つの装置が照合処理と情報配信とを行ってもよい。
【００４６】
前述した実施形態における携帯端末１の制御部１５におけるアプリ実行部１６及びブラウザ実行部１７それぞれを実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また、このプログラムは、前述した構成要素の一部を実現するためのものであってもよく、更に前述した構成要素をコンピュータシステムにすでに記録されているプログラムとの組み合わせで実現できるものであってもよく、ＰＬＤ（Programmable Logic Device）やＦＰＧＡ（Field Programmable Gate Array）等のハードウェアを用いて実現されるものであってもよい。
【００４７】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００４８】
携帯端末の利便性を損なわずに広告効果を高めることが不可欠な用途にも適用できる。
【符号の説明】
【００４９】
１…携帯端末、２…照合サーバ（判定部）、３…配信サーバ、４…ネットワーク、１１…磁気センサ、１２…加速度センサ、１３…位置センサ、１４…通信部、１５…制御部、１６…アプリ実行部、１７…ブラウザ実行部、２１…通信部、２２…照合部、２３…記憶部
【要約】
【課題】携帯端末の利便性を損なわずに広告効果を高める。
【解決手段】判定システムは、複数の携帯端末と判定部とを備える。携帯端末は、センサによって得られるセンサ情報を含むアプリケーション情報を送信するアプリケーションを実行するアプリケーション実行部と、センサによって得られるセンサ情報を含むブラウザ情報を送信するウェブブラウザを実行するウェブブラウザ実行部とを備える。照合サーバは、携帯端末から送信されるアプリケーション情報及びブラウザ情報に基づいて、同一の携帯端末で実行されるアプリケーションとブラウザとを判定する。
【選択図】図１【図１】
0005984323.tif 000002
【図２】
0005984323.tif 000003
【図３】
0005984323.tif 000004
【図４】
0005984323.tif 000005
【図５】
0005984323.tif 000006